【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
ネットワークから受信した印刷データを、印刷装置が解釈可能な形式に変換して当該印刷装置に送信する印刷制御装置であって、
前記ネットワークからデータを受信する第１の受信手段と、
前記印刷装置からデータを受信する第２の受信手段と、
前記印刷装置にデータを送信する送信手段と、
前記印刷制御装置のシャットダウン処理を実行する制御手段とを備え、
シャットダウン指示を前記第１の受信手段が受信した場合に、前記送信手段は、シャットダウン処理を実行するように前記印刷装置に指示し、
前記第２の受信手段は、前記シャットダウン処理に関する終了通知を前記印刷装置から受信し、
前記制御手段は、前記シャットダウン指示を前記ネットワークから前記第１の受信手段が受信した場合ではなく、前記終了通知を前記印刷装置から前記第２の受信手段が受信した場合に、前記印刷制御装置のシャットダウン処理を実行することを特徴とする印刷制御装置。
【請求項２】
前記第２の受信手段は、前記印刷装置の電源状態を示す電源状態通知を前記印刷装置から受信し、
前記電源状態通知を前記印刷装置から前記第２の受信手段が受信した場合に、前記電源状態通知を前記ネットワークに送信することを特徴とする請求項１に記載の印刷制御装置。
【請求項３】
ネットワークから受信した印刷データを、印刷装置が解釈可能な形式に変換して当該印刷装置に送信する印刷制御装置であって、
前記ネットワークからデータを受信する第１の受信手段と、
前記ネットワークにデータを送信する第１の送信手段と、
前記印刷装置からデータを受信する第２の受信手段と、
前記印刷装置にデータを送信する第２の送信手段と、
前記印刷制御装置のシャットダウン処理を実行する制御手段とを備え、
シャットダウン指示を前記第１の受信手段が受信した場合に、前記第２の送信手段は、シャットダウン処理を実行するように前記印刷装置に指示し、
前記第２の受信手段は、前記印刷装置の電源状態を示す電源状態通知と、前記シャットダウン処理に関する終了通知とを前記印刷装置から受信し、
前記電源状態通知を前記印刷装置から前記第２の受信手段が受信した場合に、前記第１の送信手段は、前記電源状態通知を前記ネットワークに送信し、
前記制御手段は、前記第２の受信手段が前記終了通知を受信し、かつ、前記第１の送信手段が前記電源状態通知を前記ネットワークに送信したことを条件にして、前記印刷制御装置のシャットダウン処理を実行することを特徴とする印刷制御装置。
【請求項４】
ネットワークから受信した印刷データを、印刷装置が解釈可能な形式に変換して当該印刷装置に送信する印刷制御装置であって、
前記ネットワークからデータを受信する第１の受信手段と、
前記ネットワークにデータを送信する第１の送信手段と、
前記印刷装置からデータを受信する第２の受信手段と、
前記印刷装置にデータを送信する第２の送信手段と、
前記印刷制御装置のシャットダウン処理を実行する制御手段とを備え、
シャットダウン指示を前記第１の受信手段が受信した場合に、前記第２の送信手段は、シャットダウン処理を実行するように前記印刷装置に指示し、
前記第２の受信手段は、前記印刷装置の電源状態を示す電源状態通知と、シャットダウン処理に関する終了通知とを前記印刷装置から受信し、
前記電源状態通知を前記印刷装置から前記第２の受信手段が受信した場合に、前記第１の送信手段は、前記電源状態通知を前記ネットワークに送信し、
前記終了通知を前記印刷装置から前記第２の受信手段が受信した場合に、前記制御手段は、前記電源状態通知を前記ネットワークに送信済みであるか否かを判定し、
前記電源状態通知を前記ネットワークに送信済みであると判定された場合に、前記制御手段は、前記印刷制御装置のシャットダウン処理を実行することを特徴とする印刷制御装置。
【請求項５】
前記電源状態通知を前記ネットワークに送信済みではないと判定された後に前記第１の送信手段が前記電源状態通知を前記ネットワークに送信した場合、前記制御手段は、前記印刷制御装置のシャットダウン処理を実行することを特徴とする請求項４に記載の印刷制御装置。
【請求項６】
ネットワークから受信した印刷データを、印刷装置が解釈可能な形式に変換して当該印刷装置に送信する印刷制御装置の制御方法であって、
前記ネットワークからデータを受信する第１の受信工程と、
前記印刷装置からデータを受信する第２の受信工程と、
前記印刷装置にデータを送信する送信手段と、
前記印刷制御装置のシャットダウン処理を実行する制御工程とを備え、
シャットダウン指示を前記第１の受信工程で受信した場合に、前記送信工程において、シャットダウン処理を実行するように前記印刷装置に指示し、
前記第２の受信工程において、前記シャットダウン処理に関する終了通知を前記印刷装置から受信し、
前記制御工程は、前記シャットダウン指示を前記ネットワークから前記第１の受信工程で受信した場合ではなく、前記終了通知を前記印刷装置から前記第２の受信工程で受信した場合に、前記印刷制御装置のシャットダウン処理を実行するよう制御することを特徴とする印刷制御装置の制御方法。
【請求項７】
ネットワークから受信した印刷データを、印刷装置が解釈可能な形式に変換して当該印刷装置に送信する印刷制御装置の制御方法であって、
前記ネットワークからデータを受信する第１の受信工程と、
前記ネットワークにデータを送信する第１の送信工程と、
前記印刷装置からデータを受信する第２の受信工程と、
前記印刷装置にデータを送信する第２の送信工程と、
前記印刷制御装置のシャットダウン処理を実行する制御工程とを備え、
シャットダウン指示を前記第１の受信工程で受信した場合に、前記第２の送信工程において、シャットダウン処理を実行するように前記印刷装置に指示し、
前記第２の受信工程において、前記印刷装置の電源状態を示す電源状態通知と、シャットダウン処理に関する終了通知とを前記印刷装置から受信し、
前記電源状態通知を前記印刷装置から前記第２の受信工程において受信した場合に、前記第１の送信工程で、前記電源状態通知を前記ネットワークに送信し、
前記制御工程は、前記第２の受信工程で前記終了通知を受信し、かつ、前記第１の送信工程で前記電源状態通知を前記ネットワークに送信したことを条件にして、前記印刷制御装置のシャットダウン処理を実行するよう制御することを特徴とする印刷制御装置の制御方法。
【請求項８】
ネットワークから受信した印刷データを、印刷装置が解釈可能な形式に変換して当該印刷装置に送信する印刷制御装置の制御方法であって、
前記ネットワークからデータを受信する第１の受信工程と、
前記ネットワークにデータを送信する第１の送信工程と、
前記印刷装置からデータを受信する第２の受信工程と、
前記印刷装置にデータを送信する第２の送信工程と、
前記印刷制御装置のシャットダウン処理を実行する制御工程とを備え、
シャットダウン指示を前記第１の受信工程で受信した場合に、前記第２の送信工程において、シャットダウン処理を実行するように前記印刷装置に指示し、
前記第２の受信工程において、前記印刷装置の電源状態を示す電源状態通知と、シャットダウン処理に関する終了通知とを前記印刷装置から受信し、
前記電源状態通知を前記印刷装置から前記第２の受信工程において受信した場合に、前記第１の送信工程は、前記電源状態通知を前記ネットワークに送信し、
前記終了通知を前記印刷装置から前記第２の受信工程において受信した場合に、前記制御工程で、前記電源状態通知を前記ネットワークに送信済みであるか否かを判定し、
前記電源状態通知を前記ネットワークに送信済みであると判定された場合に、前記制御工程は、前記印刷制御装置のシャットダウン処理を実行するよう制御することを特徴とする印刷制御装置の制御方法。
【請求項９】
請求項６乃至８のいずれか１項に記載の印刷制御装置の制御方法をコンピュータに実行
させるためのプログラム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明は、上記の課題を解決するためになされたもので、本発明の目的は、データ処理装置からの指示に従いリモート終了を行う際に、印刷制御装置と画像形成装置が連動してリモート終了する仕組みを提供することである。
【手続補正６】
【補正対象書類名】明細書
【補正対象項目名】００１１
【補正方法】変更
【補正の内容】
【００１１】
上記目的を達成する本発明の印刷制御装置は以下に示す構成を備える。
ネットワークから受信した印刷データを、印刷装置が解釈可能な形式に変換して当該印刷装置に送信する印刷制御装置であって、前記ネットワークからデータを受信する第１の受信手段と、前記印刷装置からデータを受信する第２の受信手段と、前記印刷装置にデータを送信する送信手段と、前記印刷制御装置のシャットダウン処理を実行する制御手段とを備え、シャットダウン指示を前記第１の受信手段が受信した場合に、前記送信手段は、シャットダウン処理を実行するように前記印刷装置に指示し、前記第２の受信手段は、前記シャットダウン処理に関する終了通知を前記印刷装置から受信し、前記制御手段は、前記シャットダウン指示を前記ネットワークから前記第１の受信手段が受信した場合ではなく、前記終了通知を前記印刷装置から前記第２の受信手段が受信した場合に、前記印刷制御装置のシャットダウン処理を実行することを特徴とする。
【手続補正７】
【補正対象書類名】明細書
【補正対象項目名】００１２
【補正方法】変更
【補正の内容】
【００１２】
本発明によれば、データ処理装置からの指示に従いリモート終了を行う際に、印刷制御装置と画像形成装置が連動してリモート終了することが可能となる。